(57)【要約】【課題】  少なくとも記録トラックの一方の側壁のみがウォブルされてアドレス情報が記録されるディスク状記録媒体において、隣接する記録トラックにおけるウォブル信号とのクロストークに対しても良好なアドレス検出精度が得られるようにする。【解決手段】  例えばＦＭ変調されたアドレス情報が記録される変調領域と、この変調領域に記録されるＦＭ変調信号のキャリア周波数で一定とされた無変調信号が記録される無変調領域とについて、トラック周回方向においては上記変調領域と無変調領域とが連続的に交互に配置され、且つ各隣接するトラック間では変調領域どうしが隣り合わないように配置する。  これにより隣接するトラック間では必ず変調領域と無変調領域とが重なるようになり、トラック間で変調領域に記録されたアドレス情報どうしが混在するようなクロストークの発生を防止することができる。【選択図】  図４
2005243135.tif 000002
【特許請求の範囲】
【請求項１】
記録トラックの少なくとも一方の側壁において、所要のコード変調処理が施された信号に基づくウォブルが形成される変調領域と、一定の周波数による信号に基づくウォブルが形成される無変調領域とが交互に形成されていると共に、各隣接する上記記録トラック間では、上記変調領域どうしが隣り合わないようにされていることを特徴とするディスク状記録媒体。
【請求項２】
上記変調領域と無変調領域とは、上記記録トラックの周回方向において連続的に形成される請求項１に記載のディスク状記録媒体。
【請求項３】
上記変調領域には、ＦＭ変調信号に基づくウォブルが形成され、上記無変調領域におけるウォブルの周波数は、上記変調領域に形成されるウォブルのキャリア周波数で一定とされていると共に、各隣接する上記記録トラック間のウォブルの位相は正相範囲内のずれで収まるようにされている請求項１に記載のディスク状記録媒体。
【請求項４】
入力データに対して所要のコード変調処理を施した変調信号と、一定の周波数とされた無変調信号とを生成すると共に、上記変調信号と上記無変調信号とを交互に出力する信号出力手段と、
上記信号出力手段による出力信号に応じて、入力されたレーザ光の光軸を所定方向に変位させる光変調手段と、
上記光変調手段により変調された上記レーザ光を予め設定された所要の回転速度により駆動されるディスク原盤に対して照射することで、上記ディスク原盤上に形成される記録トラックの少なくとも一方の側壁に対し、上記変調信号と上記無変調信号とを、各隣接する上記記録トラック間で上記変調信号が記録される領域どうしが隣り合わないようにして記録するようにされた記録手段と、
を備えることを特徴とするマスタリング装置。
【請求項５】
入力データに対して所要のコード変調処理を施した変調信号と、一定の周波数とされた無変調信号とを生成すると共に、上記変調信号と上記無変調信号とを交互に出力する信号出力手順と、
上記信号出力手順による出力信号に応じて、入力されたレーザ光の光軸を所定方向に変位させる光変調手順と、
上記光変調手順により変調した上記レーザ光を予め設定された所要の回転速度により駆動されるディスク原盤に対して照射することで、上記ディスク原盤上に形成される記録トラックの少なくとも一方の側壁に対し、上記変調信号と上記無変調信号とを、各隣接する上記記録トラック間で上記変調信号が記録される領域どうしが隣り合わないようにして記録する記録手順と、
を実行することを特徴とするディスク製造方法。
【請求項６】
記録トラックの少なくとも一方の側壁において、所要のコード変調処理が施された信号に基づくウォブルが形成される変調領域と、一定の周波数による信号に基づくがウォブルが形成される無変調領域とが交互に形成されていると共に、各隣接する上記記録トラック間では、上記変調領域どうしが隣り合わないようにされているディスク状記録媒体について、上記記録トラックに対する信号の記録又は再生を行う記録再生手段と、
上記記録トラックのウォブルによって記録される信号から所定の情報を検出するように構成された検出手段と、
予め設定された、上記ディスク状記録媒体において上記変調領域が形成される領域を指定するための領域指定情報に基づき、上記変調領域に記録された信号のみについての検出動作が行われるように上記検出手段を制御する制御手段と、
を備えることを特徴とする記録再生装置。
【発明の詳細な説明】
【技術分野】
【０００１】
本発明は、記録トラックがウォブルされて所要のデータが記録されるディスク状記録媒体と、そのマスタリング装置とディスク製造方法、及び記録再生装置に関するものである。
【背景技術】
【０００２】
【特許文献１】特開平５−３１４５３８号公報
【０００３】
光ディスクメディアでは、例えばＭＤ（Mini Disc：光磁気ディスク）等に代表されるように、記録トラックの側壁をディスク半径方向に蛇行（ウォブル）させることによってアドレス情報等の所要の情報を書き込むようにされたものがある。
このように、記録トラックをウォブルさせて情報を記録する手法は、例えば磁界変調によって記録されたマークやピット等による通常のデータ領域に対し、付加データを重畳する形で記録できるので、その分記録効率の向上を図ることができるものとして従来から採用されている。また、このようなウォブルに基づいて得られる周波数情報を利用すれば、データの記録時においてもディスクの回転情報を得ることができるというメリットもある。
【０００４】
記録トラックをウォブルさせて情報を記録するようにされた光ディスクメディアの一般的な例としては、例えば図１４（ａ）に示すように、記録トラックの両側の側壁をウォブルさせたものがある。
この図１４（ａ）に示される例では、記録トラックとしての図示するグルーブ（groove）に対してのみデータを書き込むようにされる。したがって、この場合のレーザスポットはグルーブのみをトレースするようにされ、記録トラックの両壁に形成されるグルーブとしては同じパターンを有するようにされる。
【０００５】
これに対し近年の光ディスクメディアにおいては、トラック密度の向上を図るため、グルーブだけでなくランドに対してもデータ記録を行うようにされた、所謂ランド・グルーブ記録方式を採るものがある。すなわち、本来はトラック間のガードバンドとしての役割を果たすランド部分に対してもデータを記録することで、記録密度の向上を図るようにされているものである。
【０００６】
但し、このようなランド・グルーブ記録方式において、上記した図１４（ａ）のようにグルーブ部分の両壁をウォブルさせてしまうと、ビームスポットがグルーブ側にあるときはよいとして、ランド側にあるときに隣接する他のトラックのグルーブ側のウォブル情報が混在してしまうことになる。
そこで、特にこのようなランド・グルーブ記録方式を採用する光ディスクメディアでは、次の図１４（ｂ）に示されるようにして、トラックの片側の側壁のみをウォブルさせた所謂片側ウォブル方式を採るものがある（例えば上記特許文献１参照）。
このような片側ウォブル方式では、互いに隣接するグルーブ・ランドの組において、これらの間となるグルーブの側壁のみをウォブルさせ、このウォブルによるアドレス情報をこれらグルーブとランドとで共用するようにされる。つまり、これによって片側のみをウォブルさせることができる。
そして、この際、片側のみがウォブルされているということは、グルーブ側の他方の壁面はストレートとされることから、一方のトラックのランドと隣接する他のトラックのグルーブとの間の壁は常にストレートとすることができる。これによって、これら一方のトラックのランド側と、隣接する他のトラックのグルーブとの間でのアドレス情報の混在が防止されるものである。
【発明の開示】
【発明が解決しようとする課題】
【０００７】
しかしながら、図１４（ｂ）に示したようにして片側ウォブル方式を採用する場合であっても、外乱等の影響でラジアルチルトが生じ、これに伴うコマ収差が生じた場合は、ビームスポット径が図中「Ａ」と示すように変形してしまう可能性がある。すなわち、この場合はチルトの方向によってビームスポットが変形する方向も変化するものとなるが、ディスクの半径方向にビームスポットが変形されてしまった場合は、この「Ａ」と示すようにしてビームスポット内に隣接トラックのウォブルが入り込んでしまう可能性がある。そして、これによって隣接トラックとの間でアドレス情報が混在してしまうものである。
例えば、このときのクロストークレベルが所要値を超えてしまうと、アドレス情報のエラーレートも限界を超え、正常にアドレス情報を再生することができなくなってしまう。
また、このような問題は、図１４（ａ）に示したような両側ウォブルを採用する場合にも同様に生じる可能性があるものである。
【０００８】
また、特にトラック密度が高密度化されたディスクでは、レーザスポット径に対してトラック幅が狭い条件が設定されたものがある。例えば図１４（ｂ）のような片側ウォブルではトラック幅が狭くなるが、この場合はレーザスポット径のわずかな変化によってもトラック間でのクロストークが生じやすいものとなる。つまり、その分、上記したようなクロストークの影響によりアドレス情報が正常に再生できなくなる可能性が高くなってしまうものである。
【課題を解決するための手段】
【０００９】
そこで、本発明では以上のような問題点に鑑み、ディスク状記録媒体として以下のようにすることとした。
すなわち、本発明のディスク状記録媒体は、記録トラックの少なくとも一方の側壁において、所要のコード変調処理が施された信号に基づくウォブルが形成される変調領域と、一定の周波数による信号に基づくがウォブルが形成される無変調領域とが交互に形成されていると共に、各隣接する上記記録トラック間では、上記変調領域どうしが隣り合わないようにされているものである。
【００１０】
本発明のディスク状記録媒体では、各隣接する上記記録トラック間においては上記変調領域どうしが隣り合わないようにされるので、隣接トラックとの間でクロストークが生じた場合も、変調領域に記録される例えばアドレス情報どうしが混在してしまうといった事態を防止することができる。
また、例えば上記変調領域と無変調領域とはトラック周回方向において連続的に形成されるものとすれば、記録再生装置側でウォブルに基づくディスクの回転同期信号を連続的に得ることができる。
【００１１】
また、本発明では、マスタリング装置として以下のように構成することとした。
つまり、先ず、入力データに対して所要のコード変調処理を施した変調信号と、一定の周波数とされた無変調信号とを生成すると共に、上記変調信号と上記無変調信号とを交互に出力する信号出力手段と、上記信号出力手段による出力信号に応じて、入力されたレーザ光の光軸を所定方向に変位させる光変調手段とを備える。
その上で、上記光変調手段により変調された上記レーザ光を予め設定された所要の回転速度により駆動されるディスク原盤に対して照射することで、上記ディスク原盤上に形成される記録トラックの少なくとも一方の側壁に対し、上記変調信号と上記無変調信号とを、各隣接する上記記録トラック間で上記変調信号が記録される領域どうしが隣り合わないようにして記録するようにされた記録手段を備えるようにした。
【００１２】
さらに本発明では、ディスク製造方法として以下のようにすることとした。
すなわち、先ず、入力データに対して所要のコード変調処理を施した変調信号と、一定の周波数とされた無変調信号とを生成すると共に、上記変調信号と上記無変調信号とを交互に出力する信号出力手順と、上記信号出力手順による出力信号に応じて、入力されたレーザ光の光軸を所定方向に変位させる光変調手順とを実行する。
その上で、上記光変調手順により変調した上記レーザ光を予め設定された所要の回転速度により駆動されるディスク原盤に対して照射することで、上記ディスク原盤上に形成される記録トラックの少なくとも一方の側壁に対し、上記変調信号と上記無変調信号とを、各隣接する上記記録トラック間で上記変調信号が記録される領域どうしが隣り合わないようにして記録する記録手順を実行するものとした。
【００１３】
このような本発明のマスタリング装置及びディスク製造方法によれば、上記のように交互に出力される変調信号と無変調信号とに基づき、ディスク原盤に対して照射されるレーザ光が所定方向に変位される。そして、これによれば、ディスク原盤に形成される記録トラックの側壁には、このように交互に出力される変調信号と無変調信号とに応じたウォブルが形成される。
このとき、例えば製造するディスクについて予め設定されるデータ記録フォーマットや変調信号と無変調信号の長さの割合等に基づいた、所要の回転速度によってディスク原盤が駆動されていることで、上記変調信号が記録される変調領域が隣接する記録トラック間で隣り合わないようにすることができる。すなわち、隣接するトラック間で変調領域どうしが隣り合わないように、変調領域と無変調領域とを交互に形成することができる。
【００１４】
また、本発明では記録再生装置として以下のように構成することとした。
すなわち、先ず、記録トラックの少なくとも一方の側壁において、所要のコード変調処理が施された信号に基づくウォブルが形成される変調領域と、一定の周波数による信号に基づくがウォブルが交互に形成される無変調領域とが形成されていると共に、各隣接する上記記録トラック間では、上記変調領域どうしが隣り合わないようにされているディスク状記録媒体について、上記記録トラックに対する信号の記録又は再生を行う記録再生手段を備える。
そして、上記記録トラックのウォブルによって記録される信号から所定の情報を検出するように構成された検出手段と、さらに、予め設定された、上記ディスク状記録媒体において上記変調領域が形成される領域を指定するための領域指定情報に基づき、上記変調領域に記録された信号のみについての検出動作が行われるように上記検出手段を制御する制御手段とを備えるようにする。
【００１５】
本発明の記録再生装置によれば、上記無変調領域としての、実データの記録されない領域についての情報検出動作を行わないようにすることができ、例えば無変調領域についてのアドレス情報検出動作が行われてしまってこの部分の検出結果がエラーとなってしまうような事態を防止することができる。
【発明の効果】
【００１６】
このようにして、本発明のディスク状記録媒体によれば、隣接する記録トラック間においては変調領域どうしが隣り合わないようにされるので、隣接トラックとの間でクロストークが生じた場合も、変調領域に記録される例えばアドレス情報どうしが混在してしまうといった事態を防止することができる。
これによって、ラジアルチルト等の外乱によりビームスポットが変形された場合や、ビームスポット径に対してトラックピッチやトラック幅が相対的に狭い場合にも、変調領域に対して記録された情報を従来よりも正確に再生させることができる。
また、このようにトラックピッチやトラック幅が比較的狭い場合にも正確に情報を再生させることができるということは、トラックピッチやトラック幅をより狭くした場合でも正確に情報を再生できるということになる。すなわち、このような本発明のディスク状記録媒体によれば、記録密度をより高密度とすることができることにもなる。
【００１７】
また、この際、例えば上記変調領域と無変調領域とはトラック周回方向において連続的に形成されるものとすれば、記録再生装置側でウォブルに基づくディスクの回転同期信号を連続的に得ることができる。これによれば、例えば変調領域が間欠的に形成される場合のように、ディスク回転制御の精度の低下を招くような事態を防止することができる。
【００１８】
また、本発明のマスタリング装置及びディスク製造方法によれば、ディスク原盤に対し、隣接するトラック間で変調領域どうしが隣り合わないように、変調領域と無変調領域とを交互に形成することができる。そして、このようなディスク原盤を用いて、本発明のディスク状記録媒体を製造することができる。
【００１９】
さらに、本発明の記録再生装置によれば、ディスク状記録媒体に形成された無変調領域としての、実データの記録されない領域についての情報検出動作を行わないようにすることができ、例えば無変調領域についてのアドレス情報検出動作が行われてしまってこの部分の検出結果がエラーとなってしまうような事態を防止することができる。
そして、これによれば、ディスク状記録媒体からの例えばアドレス情報の再生を正確に行うことができ、これによってディスク状記録媒体についての記録再生を正常に行うことができる。
【発明を実施するための最良の形態】
【００２０】
以下、発明を実施するための最良の形態のうちの１つの形態（以下、実施の形態とする）について説明していく。
先ず、実施の形態としてのディスク状記録媒体である、ディスク５０について説明していく。
本実施の形態のディスク５０は、磁界変調記録方式により信号の記録再生が行われるＭＤ（Mini Disc：光磁気ディスク）とされる。
このようなＭＤとしてのディスク５０は、記録トラックの側壁がディスク半径方向に蛇行（ウォブル）され、このウォブルによりＡＤＩＰ（ADdress In Pregroove）と呼ばれるディスク上の絶対位置アドレスの情報が記録されている。
【００２１】
そして、この場合のディスク５０としては、記録トラックの片側の側壁のみがウォブリングされた、所謂片側ウォブルのディスクとされる。すなわち、先の図１４（ｂ）にて説明したように、グルーブに対して磁界変調記録方式により信号が記録されると共に、各グルーブ間に形成されるランドに対しても同様に信号が記録される。その上で、グルーブにおける片側の側壁のみがウォブルされて、このウォブルにより記録されたアドレス情報をグルーブとランドとで共用するようにされたものである。
【００２２】
ここで、このようなＭＤとしてのディスク５０において、通常の磁界変調記録方式により信号が記録される領域では、図１（ａ）に示すようなクラスタが記録時の最小単位とされている。そして、１クラスタは、図示するように１６セクタから成るようにされている。
【００２３】
また、上記したウォブルにより記録されるＡＤＩＰの情報は、図１（ｂ）に示すようなフレーム構造を有する。
この場合のＡＤＩＰフレームは、４２ｂｉｔのデータビットから成るようにされる。
先ず、図示する「ｓｙｎｃ」はフレーム同期信号であり、この場合は４ｂｉｔが割り与えられている。また、「cluster H」「cluster L」は、クラスタナンバを特定するための情報が格納され、それぞれ８ｂｉｔが割り与えられる。つまり、クラスタナンバは１６ｂｉｔの情報とされる。
また、図示する「sector」は、上記「cluster H」「cluster L」によって特定されるクラスタ内の、セクタナンバを特定するための情報である。セクタナンバの情報は８ｂｉｔにより表される。また、「ＣＲＣ」はエラー検出のための情報であり、この場合は１４ｂｉｔが割り与えられる。
このようなＡＤＩＰとしてのウォブルによる信号は、上記した磁界変調記録方式により信号が記録される領域におけるセクタ単位ごとに書き込まれることで、そのセクタが位置するクラスタのナンバとその中でのセクタのナンバを表す情報となる。
【００２４】
さらに、ディスク５０においては、上記のようなＡＤＩＰの情報がＦＭ（Frequency Modulation）変調された信号に基づいてウォブルにより記録されることになるが、このようにＦＭ変調信号に基づくウォブルを形成するにあたっては、上記ＡＤＩＰの情報をバイフェーズ変調するようにされている。
このバイフェーズ変調としては、図２に示されるように、データビット（Data Bit）の１ビットの値を、さらに２値のバイフェーズビット（Bi-phase Bit）により示すようにしたものである。
この場合のバイフェーズ変調では、基本的にデータビットの「０」の値は、２つの同値のバイフェーズビットに変調するようにされる。また、データビットの「１」の値は、２つの異なるバイフェーズビットに変調される。
そして、データビット「０」の値としては、直前のバイフェーズビット値が「０」か「１」かによって、「１」「１」か「０」「０」のバイフェーズビット値に変調されることになる。すなわち、図示するように直前のバイフェーズビット値が「０」であった場合は、データビット「０」の値は「１」「１」のバイフェーズビット値に変調される。そして、次のデータビット値も「０」であった場合は、直前のバイフェーズビット値「１」に応じて、「０」「０」のバイフェーズビット値に変調される。
【００２５】
同様に、データビットが「１」の場合も、直前のバイフェーズビット値に応じて、「１」「０」か「０」「１」の２値のバイフェーズビットに変調される。つまり、データビット「０」の値に続いてデータビット「１」が入力された場合は、図示するように直前のバイフェーズビット「０」に応じて「１」「０」の２値のバイフェーズビット値に変調される。さらに、続いてデータビット「１」が入力された場合は、直前のバイフェーズビット値「０」に応じて「１」「０」の２値に変調される。
このようなバイフェーズ変調が行われる結果、ディスク５０に対してウォブルとして記録されるＡＤＩＰ信号は、常に連続する同値が２以下となるようにされる。
【００２６】
図３は、このようなバイフェーズ変調が行われた場合の、ＡＤＩＰフレームのｓｙｎｃ部分の信号波形、バイフェーズビット値、データビット値のそれぞれを示した図である。
先の図１（ｂ）に示したＡＤＩＰフレームにおいて、バイフェーズ変調が行われた場合のｓｙｎｃとしては、実際にはこれら図３（ａ）（ｂ）に示すようなバイフェーズビット値をとることになる。
すなわち、図３（ａ）に示すｓｙｎｃは、直前のバイフェーズビット値が「０」であったときの例であり、この場合のｓｙｎｃは「１１１０１０００」のバイフェーズビット値となる。また、図３（ｂ）は、直前のバイフェーズビット値が「１」であったときの例であり、この場合は「０００１０１１１」の値をとることになる。
つまり、バイフェーズ変調されたＡＤＩＰ信号において、このｓｙｎｃ部分のみが唯一同値が３つ以上連続して得られるものとなり、上記したバイフェーズ変調のルールが破られている部分となる。ディスク５０の記録再生装置側においては、このようにバイフェーズ変調のルールが破られている部分を検出することで、ＡＤＩＰ信号についてのｓｙｎｃ検出を行うことができる。
なお、この場合、ｓｙｎｃ全体としてみた場合は、バイフェーズビット値はそれぞれ「１」と「０」の値が同数となるようにされている。このように「１」「０」の値の数が同数とされている点では、バイフェーズ変調のルールが守られているものである。
【００２７】
ディスク５０においては、このようなバイフェーズ変調の行われたＡＤＩＰ信号に対して、さらにＦＭ変調処理を施した信号に基づきウォブルが形成されることになる。
例えば、バイフェーズビット「１」に対応しては、キャリアとしての所定の周波数信号に対してプラス数ｋHzの変調を施す。また、バイフェーズビット「０」に対応しては、キャリアに対してマイナス数ｋHzの変調を施す。これによって実際のウォブルとしては、例えばバイフェーズビットの値に対応した先の図２に示したような波形により記録されるものとなる。
【００２８】
そして、本実施の形態のディスク５０に対しては、上記のようにＦＭ変調処理が施された信号（つまりＡＤＩＰ信号）に基づいたウォブルが形成されていると共に、このＦＭ変調信号のキャリア周波数（中間周波数）で一定とされた、無変調信号に基づくウォブルが形成される領域を挿するものとしている。
すなわち、本例のディスク５０では、トラックの周回方向の全域にわたってＦＭ変調信号が記録されるのではなく、このようなＦＭ変調信号に基づくウォブル信号が記録される変調領域と、上記キャリア周波数で一定とされた無変調信号に基づくウォブル信号が記録される無変調領域とを、交互に形成するようにしたものである。
その上で、実施の形態のディスク５０では、互いに隣接するトラック間では、上記変調領域どうしが隣り合わないようにするために、ディスク５０の半径方向において変調領域と無変調領域とをスタガー（stagger）状に、つまりジグザグに配列するものとしている。
【００２９】
このような本実施の形態のディスク５０の一例としては、例えば次の図４に示すようになる。
図４は、実施の形態のディスク５０に形成される、グルーブとランドによる記録トラックと、グルーブの側壁に形成されたウォブルの様子を模式的に示した図である。
この図に示されるように、実施の形態のディスク５０では、図示するトラックの周回方向において、ＦＭ変調信号に基づいてＡＤＩＰ信号が記録される変調領域（図中斜線部）と、一定の周波数信号が記録された無変調領域とが、交互に且つ連続的に形成されている。
そして、上記もしたように、図示するディスク半径方向においては、グルーブとランドとの組による各記録トラックにおいて、隣接するトラック間ではそれぞれに形成される変調領域どうしが隣り合わないようにされている。換言すれば、隣接する各記録トラック間において、変調領域と隣接するのは必ず無変調領域となるようにされているものである。
【００３０】
ところで、上記のようにして隣接するトラック間で変調領域が隣り合わないようにするためには、変調領域と無変調領域とは、記録トラックの周回方向においては少なくとも変調領域の長さが無変調領域の長さを超えないように設定される必要がある。
すなわち、トラックの周回方向において変調領域は、図４に示されるように無変調領域と均等な長さとされるか、或いは無変調領域よりも短いものとされる必要がある。
【００３１】
例えば、変調領域と無変調領域とを均等な長さにより交互に配列することした場合は、図４にも示されるように、セクタごとに変調領域と無変調領域とを分けるものとすることができる。すなわち、この場合は１セクタ単位で交互に、変調信号としてのＡＤＩＰ信号と、無変調信号とを記録するようにされる。例えば、最初の１セクタ目にＡＤＩＰ信号を記録するとした場合は、以降３、５、７・・・の奇数セクタのみにＡＤＩＰ信号が記録され、偶数セクタには常に無変調信号が記録されるといったものである。
【００３２】
ここで、次の図５に、図４に示されるように１セクタごとに変調領域と無変調領域とを交互に配置するとした場合の、トラック完結部分の様子を模式的に示す。
例えば、このように１セクタごとに変調領域と無変調領域とを交互に配置するとした場合、隣接するトラック間で変調領域どうしが隣り合わないようにするためには、この図からも理解されるように１トラックがセクタ単位で完結するように設定される必要がある。
つまり、この図５に示される例では、図示するトラック完結部分にて、ｍトラック目の最後のセクタが途中で終了されてしまうと、ｍ＋１トラック目の開始部分に変調領域がオーバーラップしてしまい、このオーバーラップした部分がｍトラック目の開始セクタの変調領域と重なってしまうことになる。また、逆に、トラック完結部分にて無変調領域がオーバーラップした場合にも、次の変調領域がｍトラック目の開始セクタの変調領域と重なってしまう。
また、この図５に示される例のように、ｍトラック目の開始セクタが変調領域とされている場合は、以降の奇数セクタのみが変調領域とされることになるが、この場合は、１トラックが偶数セクタで完結してしまうと隣接トラックで変調領域どうしが全て重なってしまうことになるので、必ず奇数セクタでトラックが完結する必要がある。
なお、当然のことがら、偶数セクタに変調領域が形成される場合は、偶数セクタで完結するようにされていればよい。
【００３３】
また、変調領域よりも無変調領域を長く設定する場合としては、例えば次の図６に示すようになる。
このように、無変調領域の長さが変調領域よりも長く設定される場合は、隣接トラックに形成される変調領域に対して、より広い無変調領域を得ることができる。これによって、図４、図５に示した１セクタおきに変調領域を設ける場合よりも、隣接トラック間で変調領域どうしが隣り合わないようにすることができる配置に自由度を持たせることができる。
【００３４】
図７は、図６に示したようにして変調領域よりも無変調領域の方を長く設定する場合におけるトラック完結部分の様子を模式的に示している。
この図７に示される例では、１セクタの長さを１０とした場合に、２セクタ内に長さが５とされた変調領域と、長さが１５とされた無変調領域とを割り振るとした場合が示されている。図示されるように、この場合のトラック完結部分は、必ずしもセクタ単位で終了させる必要がないものとなる。
例えば、この場合のｍトラック目のトラック完結部分は、図中最下段に示したように、変調領域がｍトラック目の開始位置の変調領域にオーバーラップしない８．５セクタ目で終了させることができる。また、ｍトラック目の開始位置の変調領域が、この８．５セクタ目以降における１１セクタ目に形成される変調領域に隣り合わないようにすることができる、９．５セクタ目で終了させることができる。
つまりこの場合、ｍトラック目は、上で例示した８．５〜９．５セクタの範囲をはじめとして、１０．５〜１１．５セクタ目、或いは６．５〜７．５セクタ目の範囲等、偶数セクタの中間位置から、次の奇数セクタの中間位置までの範囲内の任意の位置で終了されればよいことになる。
【００３５】
なお、図５、図７の説明によると、１トラックは、変調領域と無変調領域の長さの割合に応じた任意のセクタで完結させればよいと考えられるが、実際には、例えばディスク５０について予め設定されるデータ記録フォーマットで規定されるセクタ長や記録密度等より、１トラックに形成すべきセクタ数は或る範囲に制限されることになる。このため、１トラックを何セクタで完結するかはこのような制限を満足する範囲内で決定されるべきものとなる。
また、図７に示したように、１セクタ内に変調領域と無変調領域とを形成する場合は、先の図５の１セクタおきに変調領域・無変調領域を形成する場合よりも、変調領域の長さは相対的に短くなる。このため、同じ１セクタあたりに変調領域（ＡＤＩＰ情報）として例えば同じ４２ビットを得る場合には、例えばキャリア周波数を図５の場合よりも高く設定する等して同等の情報量が得られるようにされていればよい。また、キャリア周波数は変えずに記録単位であるクラスタあたりのセクタアドレス数を減らすようにしてもよい。
なお、当然のことながら、先の図５に示した変調領域と無変調領域とを均等な長さとする場合としても、同様に１セクタ内に変調領域と無変調領域とを形成するものとされてもよい。
【００３６】
また、さらに本実施の形態のディスク５０では、上記のようにして変調領域どうしが隣り合わないようにされたことによって、各記録トラック間で隣接することになる変調領域と無変調領域とについて、それぞれのウォブルの位相が正相範囲内のずれで収まるようにされている。すなわち、それぞれのウォブルの位相のずれは、例えば−９０度〜＋９０度の範囲内に収まるようされている。
仮に、変調領域と無変調領域のウォブルの位相が逆相の関係となると、これら変調領域と無変調領域とでクロストークが発生した場合に、変調領域に記録されるＦＭ変調信号が無変調領域に記録された無変調信号によって打ち消されてしまう可能性が高くなる。そして、これに伴っては、ＦＭ変調信号レベルが低下してＳ／Ｎも低くなり、ＡＤＩＰ情報を適正に再生させることが困難となってしまうことから、変調領域と無変調領域のウォブルの位相は正相範囲内で収まるようにするものである。
【００３７】
ここで、先ずは変調領域と無変調領域とを、単に各記録トラック間で隣り合わないように配置した場合の位相関係について考察してみる。
上記もしたように、実施の形態のディスク５０では、ＡＤＩＰの情報はバイフェーズ変調が施された上でＦＭ変調されて記録されているものである。
この場合、ＦＭ変調としては、先の図２にて説明したように例えばバイフェーズビットが「１」のときは、キャリア信号に対してプラス数ｋHzの変調が行われることになる。これによると、図２に示したウォブルの波形例を参照してわかるように、バイフェーズビット「１」に対応したＦＭ変調信号の波形は、キャリア信号（中間周波数信号）に対して所定分だけ波形の位相が進むことになる。
同様に、バイフェーズビットの値が「０」である場合はマイナス数ｋHzの変調が行われるから、ＦＭ変調信号はキャリア信号に対して所定分だけ波形の位相が遅れることになる。
【００３８】
ここで、例えばキャリア周波数＝８４．６７２ｋHzの下で、±３．８４ｋHzのＦＭ変調が行われ、１データビットあたり７波、つまり１バイフェーズビットあたり３．５波のキャリアに対して±１／６波のＦＭ変調が行われると仮定してみる。
そして、これに基づき、バイフェーズビットの値が「１」であった場合は、ＦＭ変調信号はキャリア信号に対して６０度分だけ位相が進み、また、バイフェーズビットの値が「０」の場合は、ＦＭ変調信号はキャリア信号に対して６０度分だけ位相が遅れるものとする。
【００３９】
このような条件において、例えば図８（ａ）に示すようなバイフェーズビット列に対するＦＭ変調が行われる場合を想定してみる。
この図８（ａ）において、図示されるバイフェーズビット列の最初の値の切れ目であるポイントＰ１では、ＦＭ変調信号とキャリア信号とのずれは０度であったとする。
この場合、最初の値「１」に対応するＦＭ変調信号としては、先の説明より、図示するポイントＰ２にてキャリア信号に対して６０度進むことになる。また、次のバイフェーズビットの値「１」に応じては、次のポイントＰ３でさらに６０度進み、キャリア信号に対して１２０度進むことになる。
さらに、次のバイフェーズビットの値「０」に応じては、ポイントＰ４において、今度は６０度遅れることになるので、このポイントＰ４ではキャリア信号に対して６０度進んでいることになる。同様に、次のバイフェーズビット値「０」に応じてはさらに６０度遅れることで、ポイントＰ５ではキャリア信号に対するずれは０度となる。さらに、続くバイフェーズビット値「１」と「０」に応じては、ポイントＰ６にて６０度進み、ポイントＰ７にて再び０度に戻ることになる。
【００４０】
この図８（ａ）に示した各ポイントＰでのキャリア信号に対するＦＭ変調信号のずれは、図８（ｂ）に示すものとなる。
この図８（ｂ）からわかるように、最初のポイントＰ１において、ＦＭ変調信号とキャリア信号とのずれが０度であった場合には、以降のバイフェーズビットの値に応じＦＭ変調信号の位相は、キャリア信号の位相に対して０度から１２０度までの範囲でずれることになる。
そして、この図８（ｂ）に示されているように、この場合は、データビット単位での切れ目（Ｐ１、Ｐ３、Ｐ５、Ｐ７）では、位相ずれは必ず０度か１２０度となっていることがわかる。これは、バイフェーズ変調では、同一データビット内では同値が２回連続しても、データビットの切れ目では必ずバイフェーズビット値が反転するようにされていることによる。
【００４１】
このようにして、この場合のＦＭ変調信号では、データビット単位の切れ目でキャリア信号（つまり無変調信号である）との位相ずれが最大で１２０度となる場合がある。
このことを考慮すると、例えば先の図４に示した例のように、変調領域の開始位置と無変調領域の開始位置とが揃えられている場合は、変調領域に記録されるＦＭ変調信号の位相と、無変調領域に記録される無変調信号（キャリア信号）の位相とに、最大で１２０度のずれが生じる場合があるということになる。
【００４２】
また、例えば先の図５に示した、無変調領域を長く設定する場合であっても、同様に変調領域のＦＭ変調信号と無変調領域の無変調信号とに最大で１２０度の位相ずれが生じてしまうことになる。
すなわち、このように無変調領域を長く設定する場合でも、トラック間で隣接する変調領域と無変調領域とに記録されるＦＭ変調信号と無変調信号とは、データビットの切れ目は揃えられることになるので、同様に変調領域の開始位置におけるＦＭ変調信号と、隣接する無変調領域の無変調信号との位相ずれが最大で１２０度となる場合がある。
【００４３】
このようにして各隣接する記録トラック間にて、単に変調領域どうしが隣り合わないように配置したのみでは、トラック間で隣接するようにされた変調領域と無変調領域とにおいて、ＦＭ変調信号と無変調信号とに最大で１２０度の位相ずれが生じる部分がでてきてしまうこととなる。これによっては、各信号の位相は完全逆相（±１８０度）とはならないまでも、やはり同相とされる場合よりもクロストークに対して不利となる。
【００４４】
そこで、実施の形態のディスク５０としては、隣接する変調領域と無変調領域とにおけるそれぞれのウォブルの位相は常に正相範囲内のずれで収まるようにして、変調領域におけるＦＭ変調信号レベルが隣接する無変調領域の無変調信号によってより打ち消されずらくする。
【００４５】
ここで、先にも説明したようにこの場合のバイフェーズ変調のルールに従えば、図８（ａ）中に破線により囲ったデータビット単位の切れ目部分で必ずバイフェーズビット値が反転することになる。
そして、このようなデータビット単位での切れ目では、上述もしたようにＦＭ変調信号と無変調信号との位相ずれは必ず０度が１２０度となることから、上記のようにデータビットの切れ目で必ず値が反転するということは、バイフェーズビット間の切れ目（Ｐ２、Ｐ４、Ｐ６）では位相ずれが必ず６０度となることがわかる。
【００４６】
このようにして、トラック間で隣接するＦＭ変調信号と無変調信号とは、データビットの切れ目では位相ずれが０度か１２０度となり、バイフェーズビットの切れ目では常に６０度となるということは、無変調信号の位相は、予め６０度ずれた状態とされていれば、ＦＭ変調信号との位相ずれは常に６０度以下とすることができることになる。
これは図８（ｂ）中にＮｍと示すように、無変調信号の位相を、ＦＭ変調信号の位相に対して６０度だけずらすことにより、各ポイントＰでのＦＭ変調信号に対する無変調信号の位相ずれが最大でも６０度以下となることによっても示されている。
そして、このようにＦＭ変調信号の無変調信号に対する位相ずれが常に６０度以下となるということは、ＦＭ変調信号と無変調信号の位相ずれは常に正相範囲内で収めることができることになる。
【００４７】
実施の形態のディスク５０では、このように無変調信号の位相をＦＭ変調信号の位相に対して６０度ずらすために、次の図９に示すようにして、変調領域においてＡＤＩＰ ｆｒａｍｅとしての信号が記録されるＡＤＩＰ信号区間と、この変調領域と記録トラックの周回方向において隣接する無変調領域における無変調信号区間との間に、バイフェーズビットによるダミービットを挿入するものとしている。
すなわち、先ず、このように無変調信号の位相を６０度分だけずらすためには、上記ＡＤＩＰ信号区間と無変調信号区間との間に、図示するダミービットＡを挿入するものとしている。このようなダミービットＡとしては、その直前のＡＤＩＰ信号区間における最後のバイフェーズビット値の反転値を挿入する。
この際、ＡＤＩＰ信号区間の終了点は、当然データビットの切れ目となる。そして、先の図８における説明によれば、このようなデータビットの切れ目では、ＦＭ変調信号のキャリア信号に対する位相ずれは必ず０度か１２０度となっているものである。
このため、バイフェーズ変調のルールに従って、上記のようにＡＤＩＰ信号区間の最後の値の後に反転する１つのバイフェーズビット値を挿入すれば、変調波形が連続を保ちながら挿入後のＦＭ変調信号と無変調信号との位相ずれは必ず６０度以内とすることができる。
【００４８】
同様に、無変調信号区間（無変調領域）の終了位置から、次のＡＤＩＰ信号区間を開始位置との間には、図示するダミービットＢを挿入する。これによっても、変調波形が連続を保ちながら挿入後の位相ずれを必ず６０度以内とすることができる。
【００４９】
ちなみに、上記のようにダミービットＢが挿入されれば、次のＦＭ変調信号区間の開始位置での位相ずれは０度か１２０度とすることができる。そして、このようにＦＭ変調信号区間の開始位置での位相ずれが０度か１２０度とされれば、このＦＭ変調信号区間における最初のバイフェーズビット値の切れ目である図示するポイントＰ１０では、ＦＭ変調信号の位相状態は必ず６０度ずれた状態とすることができる。
【００５０】
このようにして、変調領域においてＡＤＩＰ信号が記録されるＡＤＩＰ信号区間と、無変調領域としての無変調信号区間との間にダミービットＡ、ダミービットＢをそれぞれ挿入するものとすれば、変調波形の連続性を保ちながら、各隣接するトラック間では無変調信号区間の位相を、ＦＭ変調信号区間における平均位相（キャリア成分）に対して６０度分だけずらすことができる。
そして、このように無変調信号区間の位相を６０度分だけずらすことができれば、先の図８（ｂ）に示したようにして、隣接するトラック間での変調領域と無変調領域とに記録されるＦＭ変調信号と無変調信号との位相ずれを、最大でも６０度以下に保つことができるようになる。
つまり、これにより、トラック間で隣接する変調領域と無変調領域とに記録されるＦＭ変調信号と無変調信号との位相をほぼ同相とすることができ、変調信号のレベルが隣接するトラックの無変調信号によって打ち消されて、ＡＤＩＰ情報の再生が困難となってしまうことを防止できるようになる。
なお、先の図８にて説明したＦＭ変調信号の位相遷移の例は、初期ビットの値を「０」とした場合の例であるが、初期ビット「１」を設定した場合としても同じデータビット列に対しては、その位相値の正負は逆転するものの絶対値としては同じ位相値の遷移が得られるものである。従って、図８中のＰ２、Ｐ４・・・にて与えられるバイフェーズビット単位での切れ目での位相としても、絶対値的には６０度の位相で一定となるものである。
【００５１】
また、ここでは、キャリア周波数＝８４．６７２ｋHz±３．８４ｋHzの条件によるＦＭ変調処理が行われる場合について例示したが、他の条件でＦＭ変調処理が行われる場合としても、同様にダミービットを挿入することによってＦＭ変調信号と無変調信号との位相を調整することで、隣接するトラックの無変調信号とＦＭ変調信号との位相ずれを、正相範囲内のずれで収めることができる。
なお、実施の形態では、上記条件の下でＦＭ変調信号と無変調信号との位相ずれが６０度以下となる場合を例に挙げ、正相範囲としては９０度以内を定義したが、本発明での正相範囲としては必ずしも９０度以内でなくとも、単に変調領域と無変調領域とが隣接トラック間で隣り合わないように配置した場合よりも、クロストークに対する情報検出精度が良好に得られるような位相ずれの範囲を広く定義するものである。
【００５２】
図１０、図１１は、これまでに説明してきた実施の形態のディスク５０についての対クロストーク特性、及び対ラジアルチルト特性について説明するための図である。
先ず、図１０には、対クロストーク特性について説明するための図として、所定のトラック（メイントラック）に対して記録されたＡＤＩＰ信号に対して、隣接するトラックからＡＤＩＰ信号が漏れ込む場合と、無変調信号が漏れ込む場合とでの、上記メイントラックのＡＤＩＰ信号についての再生エラーレートを示している。
また、この図１０では、隣接するトラックから漏れ込むＡＤＩＰ信号の位相が、メイントラックに記録されたＡＤＩＰ信号と各々逆相／同相となる場合と、隣接するトラックから漏れ込む無変調信号の位相がメイントラックに記録されたＡＤＩＰ信号と逆相／同相となる場合の結果も示している。この場合、「同相」とは、実施の形態のようにほぼ同相の６０度ずれ以内となる場合であり、「逆相」とは完全逆相以内のずれとなる部分も含まれる場合を意味するものとする。
なお、この図１０は、実施の形態のディスク５０の対クロストーク特性について説明するための図として、実際には信号発生器により生成した信号について、以下の条件を設定した上で計測した結果を示すものである。
・ＡＤＩＰ信号・・・キャリア周波数８５ｋHz、±３ｋHzのＦＭ変調信号（Ｃ／Ｎ＝２８．６ｄＢ：ＲＢＷ３ｋHz）
・無変調信号・・・８５ｋHz
また、ＡＤＩＰ信号には３ｂｉｔのＥＣＣ（Error Correct Code）を付加した。
【００５３】
先ず、隣接するトラックから漏れ込む信号がＡＤＩＰ信号（変調信号）となる、従来のディスクでは、図中「変調（逆相）」「変調（同相）」として示すように、それぞれクロストークレベルが−１０ｄＢ、−８ｄＢのときにエラーレートが最大となって、ＡＤＩＰ情報の検出限界となる。すなわち、従来のディスクにおいて、隣接するトラックから漏れ込む信号が逆相とされる場合は、アドレス情報の検出限界はクロストークレベが−１０ｄＢのときになる。また同相の場合であっても、アドレス情報の検出限界は−８ｄＢとなる。
【００５４】
また、隣接するトラックから漏れ込む信号が無変調信号となる実施の形態のディスク５０について、図中「無変調（逆相）」と示した、漏れ込む信号の位相が逆相となる場合は、アドレス情報検出限界は−１０ｄＢとなった。
しかしながら、「無変調（同相）」と示した同相となる場合は、アドレス情報検出限界は−３ｄＢとなる結果が得られた。つまり、実施の形態のディスク５０では、ＡＤＩＰ信号が記録される変調領域において、隣接するトラックから漏れ込む信号が無変調信号であり、且つこれらの信号どうしの位相ずれは例えば常に６０度以下とされてほぼ同相となるようにされていることにより、対クロストーク特性及び対ノイズ特性が向上してアドレス情報検出限界が引き上げられたものである。
【００５５】
また、図１１には、対ラジアルチルト特性について説明するための図として、ラジアルチルトに対するクロストークレベルの変化を示している。なお、この図１１ではグルーブ読み取り時の結果を実線で、またランド読み取り時の結果を破線により示している。
先の図１０の結果より、従来のディスクのアドレス情報検出限界（図１０中「変調（同相）」）は−８ｄＢであった。このことから、図中に実線により示すグルーブ読み出し時について、従来の対ラジアルチルトの検出限界はおよそ＋０．８度までとなる。一方、実施の形態のディスク５０におけるアドレス情報検出限界は−３ｄＢであることから、この場合の対ラジアルチルの検出限界は＋１．３度程度となり、従来よりも０．５度程度広いラジアルチルトマージンを得ることができるということになる。
また、破線により示すランドの読み出し時として、従来の場合は、検出限界−８ｄＢとなるラジアルチルトは−０．８度程度であった。これに対し実施の形態ではラジアルチルト＝−１．２度程度で検出限界−３ｄＢとなるので、従来よりも０．４度程度広いラジアルチルトマージンを得ることができることになる。
このようにして、実施の形態のディスク５０によっては、グルーブ及びランド読み出し時で共に、従来よりもラジアルチルトマージンを得ることができる。
【００５６】
これまでで説明してきたように、実施の形態のディスク５０によれば、記録トラックの周回方向において、ＦＭ変調信号に基づくウォブルが行われる変調領域と、ＦＭ変調信号のキャリア信号としての無変調信号に基づくウォブルが行われる無変調領域とを交互に形成し、且つ、隣接するトラック間で変調領域どうしが隣り合わないように配置したので、隣接トラックから漏れ込む信号は必ず無変調信号とすることができる。
そして、これによれば、隣接するトラックからＦＭ変調信号としてのＡＤＩＰ信号が漏れ込まないようにすることができ、これによって例えばラジアルチルト等に起因してクロストークが発生した場合に、ＡＤＩＰ情報が混在してしまう従来のディスクよりも正確にアドレス情報の検出を行うことが可能となる。
【００５７】
さらに、実施の形態のディスク５０では、上記のようにトラック間で隣接することになる無変調領域に記録される無変調信号の位相を、変調領域に記録されたＡＤＩＰ信号の位相に対して所定分だけずらすことによって、トラック間で隣接する変調領域と無変調領域とに記録される変調信号と無変調信号との位相ずれが、正相範囲内で収まるようにされている。
そして、このようにトラック間で隣接する変調領域と無変調領域とに記録される変調信号と無変調信号との位相ずれが正相範囲内となれば、上記もしたように変調信号のレベルが隣接するトラックの無変調信号によって打ち消されてしまうようなことが抑制され、その分、クロストーク、及びラジアルチルトに対するマージンを得ることができる。
【００５８】
また、このようにクロストークについてのマージンを得ることができれば、その分トラックピッチをより高密度とした場合にも従来と同等の精度によりアドレス情報の検出を行うことができることになる。すなわち、このような実施の形態のディスク５０によれば、トラックピッチをより高密度化して更なる高記録密度化を図ることもできるようになる。
【００５９】
続いて、次の図１２には、これまでに説明してきたディスク５０を製造するための、実施の形態としてのマスタリング装置１の構成例を示す。
このマスタリング装置１としては、実施の形態のディスク５０の製造工程における、原盤工程（マスタリングプロセス）を行うための装置である。
ここで、実施の形態のディスク５０のような、ＭＤの製造工程としては、大別すると、上記した原盤工程と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製であるディスクを大量生産するプロセスである。
具体的には、原盤工程は、研磨した硝子基板にフォトレジストを塗布し、この感光膜にレーザビームによる露光を行ってウォブルを形成する、いわゆるマスタリングを行う。
そしてマスタリングが終了すると、現像等の所定の処理を行った後、例えば電鋳によって金属表面上への情報の転送を行ない、ディスクの複製を行う際に必要なスタンパーを作成する。
次に、このスタンパーを用いて例えばインジェクション法等によって、樹脂基板上に情報を転写し、その上に反射膜を生成した後、所定のディスク形態に加工する等の処理を行って最終製品を完成する。
【００６０】
図１２において、先ずディスク原盤１０は、図示するスピンドルモーター９により回転駆動される。このスピンドルモーター９は、スピンドルサーボ回路８により回転が制御され、採用される回転制御方式に対応した回転が得られるように駆動制御される。
【００６１】
上記ディスク原盤１０に対しては、記録トラックを形成する過程において、その側壁をウォブルさせることによってＡＤＩＰとしての絶対位置アドレス情報を記録するようにされる。
このようなＡＤＩＰとしての絶対位置アドレス情報ＳＡは、図示するアドレス情報信号源２によって出力され、図示する付加変調回路３に供給される。
【００６２】
付加変調回路３は、上記アドレス情報信号源２より供給される絶対位置アドレス情報ＳＡに対して変調処理や必要なデータの付加を行って、ウォブル指令信号ＳＡＷを出力する。
この付加変調回路３では、供給される上記絶対位置アドレス情報に対し、先の図１（ｂ）に示したようなＣＲＣ等の情報を付加してＡＤＩＰフレームとしてのデータを生成する。また、このように各種必要なデータが付加されたデータについてのバイフェーズ変調処理、及びＦＭ変調処理を行う。さらに、この場合の付加変調回路３では、上記ＦＭ変調処理によって得られた上記ＦＭ変調信号のキャリア周波数で一定とされる、無変調信号が生成される。
そして、これらＦＭ変調信号と無変調信号とを交互に且つ連続的に出力するようにされる。このように付加変調回路３より交互に出力されるＦＭ変調信号と無変調信号とは、図示するウォブル指令信号ＳＡＷとして光偏向器５に対して供給される。
なお、この付加変調回路３では、予め設定された所要のキャリア周波数に基づいて上記ＦＭ変調信号及び無変調信号を生成するようにされる。
また、付加変調回路３では、上記のように交互に出力するようにされたＦＭ変調信号と無変調信号とについて、ＦＭ変調信号と無変調信号との長さが予め設定された割合となるように上記無変調信号を挿入するようにされている。
【００６３】
記録用レーザ４は、例えばガスレーザ等から成り、レーザビームＬ１を光偏向器（ＡＯＤ）５に対して射出する。
光偏向器５は電気音響光学素子（Acoustic Optical Deflector）等を備え、記録用レーザ４から入射するレーザビームＬ１の進行方向を、上記した付加変調器３より供給されるウォブル指令信号ＳＡＷに応じて変位させ、レーザビームＬ２として射出する。
【００６４】
また、実施の形態のディスク５０は片側ウォブルであり、これに応じてマスタリング装置１には、図示する補助レーザ１１とビーム混合用光学素子１２とが備えられる。補助レーザ１１としてもガスレーザ等から成るようにされ、レーザビームＬ３をビーム混合用光学素子１２に対して射出する。
ビーム混合用光学素子１２にはレーザビームＬ２とレーザビームＬ３とが入力され、これらレーザビームを混合してこれをミラー６に射出する。
【００６５】
これらレーザビームＬ２とレーザビームＬ３とは、ミラー６によりディスク原盤１０の記録面に対して射出する角度に光路が折り曲げられ、対物レンズ７を透過してディスク原盤１０の記録面上に各々が近接する位置で集光するようにされている。
【００６６】
また、上記ミラー６及び対物レンズ７は、図示しないスレッド機構によりディスク原盤１０の回転に同期してディスク半径方向に順次移動するように構成される。
つまり、上記レーザビームＬ２及びＬ３の集光位置は、ディスク原盤１０の例えば外周方向に順次変移するようにされており、これによりディスク原盤１０に対しては、渦巻き状に記録トラックが形成される。
【００６７】
そして、この場合のレーザビームＬ２としては、ディスク原盤１０の半径方向に上記ウォブル指令信号ＳＡＷに応じて変位される。その上で、レーザビームＬ３は、このレーザビームＬ２の集光位置と近接する位置で照射されていることから、ディスク原盤１０の記録トラック（グルーブ）に対しては、その一方の側壁にレーザビームＬ２の照射による上記ウォブル指令信号ＳＡＷに応じたウォブルが形成される。そして、記録トラックの他方の側壁は、上記レーザビームＬ３の照射によってストレートな形状となるものである。
【００６８】
そして、上記したウォブル指令信号ＳＡＷとしては、ＦＭ変調信号と無変調信号とが交互に出力されたものであるので、上記のようにして記録トラックの側壁に形成されるウォブルとしては、変調領域と無変調領域とが交互に配置されるようになる。
【００６９】
このとき、例えば予め設定される付加変調回路３にて設定される変調領域と無変調領域との長さについての割合や、ＦＭ変調信号のキャリア周波数等に応じて計算された、隣接するトラック間で変調領域どうしが隣り合わないようにすることのできる回転速度によってディスク原盤１０が回転駆動されていることで、上記のようにしてトラックの周回方向に交互に形成される変調領域と無変調領域とは、隣接するトラック間では必ず変調領域と無変調領域とが重なるようにすることができる。
換言すれば、例えばディスク５０について設定されたデータ記録フォーマットによりディスク回転速度やセクタ長、データ記録密度等が予め規定されている条件の下では、これに応じたＦＭ変調信号のキャリア周波数が設定されていることによって、隣接するトラック間で変調領域どうしが隣り合わないように変調信号と無変調信号とを記録することができる。
【００７０】
上記のようにして、マスタリング装置１により露光が行われたディスク原盤１０は、現像されメッキが施されることによりスタンパーとして生成される。そして、上述もしたようにこのスタンパーを用いて樹脂基板上に情報を転写し、その上に反射膜を生成した後に必要なディスク形態に加工する等の処理を行うことで、本実施の形態としてのディスク５０が生成される。
【００７１】
なお、トラック間で隣接する変調領域と無変調領域とに記録されるＦＭ変調信号と無変調信号との位相が、正相範囲内のずれとなるようにするために、先の図９にて説明したようにしてＡＤＩＰ信号区間と無変調信号区間との間にダミービットを挿入する場合には、付加変調回路３では、バイフェーズ変調処理を施したＡＤＩＰフレームデータの前後に、このようなダミービットとしての所要のバイフェーズビット値を挿入するようにされる。その上で、このようなダミービットが挿入されたバイフェーズビット列に対してＦＭ変調処理を施すようにされる。
なおこの場合は、挿入したダミービット分も変調領域として算入した上で、変調領域どうしが隣り合わないパターンを決定するものとすればよい。つまり、ダミービットとしてはＦＭ変調信号であることから、仮に無変調領域として算入された場合は、ダミービットと変調領域とが隣接する部分で変調信号どうしが隣接してしまうからである。
【００７２】
また、実施の形態ではディスク５０として片側ウォブルのディスクを挙げて、マスタリング装置１ではレーザビームを２系統照射するものとしたが、当然のことながら両側ウォブルの場合は記録用のレーザビームとして１系統のみを照射する構成とされればよい。
つまり、本発明のマスタリング装置としては、これらの何れかの構成が採られることで、少なくとも記録トラックの一方の側壁に対してウォブルを形成することができるようにされていればよい。
【００７３】
さらに、次の図１３には、ディスク５０についての記録又は再生を行う、実施の形態としての記録再生装置２１の構成例について示す。
この図１３において、先ず、ディスク５０は、図示しないターンテーブルに積載され、記録再生動作時においてスピンドルモーター２２によって一定線速度（ＣＬＶ）又は一定角速度（ＣＡＶ）で回転駆動される。
【００７４】
ピックアップ２３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系、対物レンズをトラッキング方向及びフォーカス方向に移動可能に保持しり二軸機構などが形成される。
またピックアップ２３全体はスライド駆動部２４によりディスク半径方向に移動可能とされている。
【００７５】
ディスク５０からの反射光情報はフォトディテクタによって検出され、受光光量に応じた電気信号とされてＲＦアンプ２８に供給される。
ＲＦアンプ２８には、ピックアップ２３内の複数のフォトディテクタからの出力電流に対応して電流電圧変換回路、マトリクス演算／増幅回路等を備え、マトリクス演算処理により必要な信号を生成する。例えば再生データであるＲＦ信号、サーボ制御のためのフォーカスエラー信号ＦＥ、トラッキングエラー信号ＴＥなどを生成する。
ＲＦアンプ２８から出力される再生ＲＦ信号は、図示する記録／再生処理系２９へ、フォーカスエラー信号ＦＥ、トラッキングエラー信号ＴＥはサーボ制御部３０へ供給される。
【００７６】
また、ディスク５０では、ウォブリンググルーブによりＡＤＩＰ信号が記録されている。ウォブル成分は、ＲＦアンプ２８において例えばプッシュプル信号として得ることができ、このプッシュプル信号は、アドレス情報の検出のためにＡＤＩＰデコーダ３４に供給される
なお、アドレス情報の検出にはプルイン信号を用いるもとしてもよい。
【００７７】
ＲＦアンプ２８で得られた再生ＲＦ信号は、記録／再生処理系２９に対して供給される。
記録／再生処理系２９は、ディスク５０に対する信号の記録／再生のための各種必要な処理を行い、２値化、ＰＬＬクロック生成、変調信号に対するデコード処理、エラー訂正処理等を行う再生処理系と、記録データに対する変調処理、エラー訂正符号付加等を行う記録処理系を包括的に示している。
ディスク５０からの信号の再生時においては、上記のようにＲＦアンプ２８から供給される再生ＲＦ信号について、上記のような２値化、ＰＬＬクロック生成、変調信号に対するデコード処理、エラー訂正処理等を行う。
この場合、記録／再生処理系２９は、図示するＤＲＡＭ３１を利用してデコード処理やエラー訂正処理を行う。このＤＲＡＭ３１は、ホストインタフェース３３から得られたデータを保存したり、ホストコンピューターに対してデータ転送する為のキャッシュとしても用いられる。
そして記録／再生処理系２９は、デコードしたデータをキャッシュメモリとしてのＤＲＡＭ３１に蓄積していく。
この記録再生装置２１からの再生出力としては、ＤＲＡＭ３１にバファリングされているデータが読み出されて転送出力されることになる。
【００７８】
また、再生時において、記録／再生処理系２９では、ＲＦ信号に対するＥＦＭ復調並びにエラー訂正により得られた情報の中から、サブコード情報や付加情報を抜き出しており、これらの情報をコントローラ３２に供給する。
【００７９】
ＡＤＩＰデコーダ３４では、ＲＦアンプ２８から供給される例えばプッシュプル信号からウォブリンググルーブによるＡＤＩＰ信号の検出とそのデコードを行い、アドレス情報（ＡＤＩＰアドレス）を抽出してコントローラ３２に供給する。
また、入力されたプッシュプル信号又はプルイン信号に基づくディスクの回転同期信号をサーボ制御部３０に対して供給する。
なお、この場合のＡＤＩＰデコーダ３４のアドレス検出動作は、後述するようにしてコントローラ３２内のアドレス検出制御部３２ａによって制御される。
【００８０】
サーボ制御部３０は、ＲＦアンプ２８からのフォーカスエラー信号ＦＥ、トラッキングエラー信号ＴＥや、上記したＡＤＩＰデコーダ３４からの回転同期信号等から、フォーカス、トラッキング、スレッド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路２６に供給する。フォーカス／トラッキング駆動回路２６は、ピックアップ２３における二軸機構のフォーカスコイル、トラッキングコイルを駆動することになる。これによってピックアップ２３、ＲＦアンプ２８、サーボ制御部３０、フォーカス／トラッキング駆動回路２６、二軸機構によるトラッキングサーボループ及びフォーカスサーボループが形成される。
【００８１】
サーボ制御部３０はさらに、スピンドルモーター駆動回路２７に対してＡＤＩＰデコーダ３４からの回転同期信号に応じて生成したスピンドルドライブ信号を供給する。スピンドルモーター駆動回路２７はスピンドルドライブ信号に応じて例えば３相駆動信号をスピンドルモーター２２に印加し、スピンドルモーター２２の回転を実行させる。なお、例えばディスク５０の再生時には、記録／再生処理系２９にて生成されるチャネルクロックに基づき上記したスピンドルドライブ信号を生成するように構成されてもよい。
またサーボ制御部３０はコントローラ３２からのスピンドルキック／ブレーキ制御信号に応じてスピンドルドライブ信号を発生させ、スピンドルモーター駆動回路２７によるスピンドルモーター２２の起動、停止、加速、減速などの動作も実行させる。
【００８２】
またサーボ制御部３０は、例えばトラッキングエラー信号ＴＥの低域成分として得られるスライドエラー信号や、コントローラ３２からのアクセス指令などに基づいてスライドドライブ信号を生成し、スライド駆動回路２５に供給する。スライド駆動回路２５はスライドドライブ信号に応じてスライド駆動部２４を駆動する。スライド駆動部２４には図示しないが、ピックアップ２３を保持するメインシャフト、スレッドモータ、伝達ギア等による機構を有し、スライド駆動回路５がスライドドライブ信号に応じてスライド駆動部２４を駆動することで、ピックアップ２３の所要のスライド移動が行なわれる。
【００８３】
コントローラ３２は、例えばマイクロコンピュータで形成され、装置全体の制御を行う。
例えば、上記したようにしてサーボ制御部３０に対するアクセス指令を行って、所定アドレスに対するアクセス動作を実行させる。
ここで、実施の形態の場合のディスク５０は片側ウォブルであり、従って１組のランド・グルーブで共通のアドレス情報を用いるようにされる。コントローラ３２は、目標アドレスがランドであるかグルーブであるかに応じて、サーボ制御部３０に対してトラッキングの極性を変更させるように制御を行う。これにより、ＡＤＩＰデコーダ３４では、読み出された信号の極性によってアドレス情報がランドのものであるかグルーブのものであるかを判別でき、ランド／グルーブに応じた正確なアドレス情報をコントローラ３２に対して供給することができる。
【００８４】
また、特に実施の形態の場合、コントローラ３２は、後述するアドレス情報検出制御部３２ａとしての動作を行って、ＡＤＩＰデコーダ３４におけるアドレス情報の検出動作を制御するようにされる。
【００８５】
ホストインタフェース３３は、外部のパーソナルコンピュータ等のホストコンピューターと接続され、ホスト機器との間で再生データやリード／ライトコマンド等の通信を行う。
即ちＤＲＡＭ３１に格納された再生データは、ホストインタフェース３３を介してホストコンピューターに転送出力される。
またホストコンピューターからのリード／ライトコマンドや記録データ、その他の信号はホストインタフェース３３を介してＤＲＡＭ３１にバッファリングされたり、コントローラ３２に供給される。
【００８６】
記録再生装置２１においては、例えばホストコンピューターからライトコマンド及び記録データが供給されることでディスク５０に対する記録が行われる。
ディスク５０に対するデータの記録時には、記録／再生処理系２９において、ＤＲＡＭ３１にバッファリングされた記録データについて、記録用データに変換するための処理が行われる。即ちエラー訂正符号付加、所要の変調方式に従った変調処理などが施される。
そしてこのように変調された記録データが、磁気ヘッドドライバ３５に供給される。磁気ヘッドドライバ３５は、記録データに応じて磁気ヘッド３６を駆動し、記録データに応じたＳ又はＮの磁界をディスク５０対して印加する。
このとき、ピックアップ２３では、ディスク５０の記録トラックをキュリー温度に加熱させるための比較的ハイパワーとされるレーザ光を照射するようにされており、これによってディスク５０には磁気ヘッド３６により印加される磁界に応じた信号が記録されるものとなる。
【００８７】
アドレス検出制御部３２ａは、ＡＤＩＰデコーダ３４におけるアドレス情報検出動作を制御するものとされる。このアドレス情報検出制御部３２ａは、コントローラ３２によるソフトウェア処理によって実現される機能の１つとなる。
アドレス情報検出制御部３２ａには、先に説明したようにしてウォブリンググルーブにより変調領域と無変調領域とが交互に形成されたディスク５０について、上記変調領域としての有効なアドレス情報が記録された領域を指定するための、領域指定情報が予め設定されている。
そして、この領域指定情報に基づき、ＡＤＩＰデコーダ３４に対して、例えば入力されるプッシュプル信号からアドレス情報を検出すべき区間を指定して、アドレス情報の検出動作を実行させる。
これによって、変調領域と無変調領域とが交互に記録されるディスク５０に対応して、変調領域に記録される有効なＡＤＩＰ情報のみを適切にデコードすることが可能となる。
つまりこれによれば、例えば無変調領域についての検出動作が行われて、この部分で検出エラーが発生してしまうといった事態を防止することができるようになる。
【００８８】
また、例えば先の図９にて説明したような、ダミービットを挿入するディスク５０とされる場合には、アドレス検出制御部３２ａに予めダミービットが挿入される位置を設定しておき、ＡＤＩＰデコーダ３４にてこの設定された位置は検出しないように制御するものとすればよい。このようにすれば、ダミービットが挿入される場合にもエラーの発生を防止することができる。
【００８９】
また、このような記録再生装置２１においては、ディスク５０に形成されたウォブルに基づく信号が回転同期信号として用いられるが、実施の形態のディスク５０では、変調領域及び無変調領域としての所定のキャリア周波数によるウォブルが連続的に形成されるので、このような回転同期信号を間欠なく得ることができる。これによれば、例えばウォブルが連続的に形成されていない場合のように、回転同期信号が間欠してディスク回転制御が不安定となってしまうような事態を防止することができる。
【００９０】
なお、図１３では、ホストコンピューターと接続される記録再生装置２１の構成を例示したが、例えば単体で記録再生を行う構成とされてもよい。
この場合は、例えば記録再生装置２１に対して各種の操作入力を行うためのユーザインタフェースや、音声出力のためのヘッドフォン端子や外部音声出力端子等を備えるものとすればよい。
また、記録／再生処理系２９に対しては、例えばＡＴＲＡＣ圧縮方式等の所要のデータ圧縮方式に対応するエンコーダ及びデコーダが備えられて、記録データの圧縮及び再生された圧縮データのデコードが行われるように構成されてもよい。
【００９１】
ここで、これまでに説明してきた実施の形態では、変調領域として記録される信号はＦＭ変調を施すものとしたが、コード変調の方式は特に限定されるものではなく、ウォブル信号として記録することのできるコード変調方式であれば他の方式が採用されてもよい。
また、実施の形態では、ディスク５０がＭＤとされる場合を例に挙げたが、他のディスク状記録媒体に対しても本発明は好適に適用することができる。
さらに、実施の形態では片側ウォブルによるディスク５０を例に挙げたが、もちろん図１４（ａ）に示したような両側ウォブルが採用される場合にも本発明は好適に適用することができる。
【図面の簡単な説明】
【００９２】
【図１】本発明における実施の形態としてのディスク状記録媒体において、記録トラックに対して記録されるデータの物理構造と、記録トラックのウォブルにより記録されるＡＤＩＰフレームの構造とを例示した図である。
【図２】実施の形態のディスク状記録媒体が採用するバイフェーズ変調方式について説明するための図である。
【図３】ＡＤＩＰフレームにおけるｓｙｎｃについて説明するための図である。
【図４】実施の形態のディスク状記録媒体における、変調領域と無変調領域との配置例について説明するための図である。
【図５】実施の形態のディスク状記録媒体における、隣接するトラック間のトラック完結部分の様子を模式的に示す図として、変調領域と無変調領域とを１セクタおきに交互に配置した場合について示した図である。
【図６】実施の形態のディスク状記録媒体における、変調領域と無変調領域との他の配置例について説明するための図である。
【図７】実施の形態のディスク状記録媒体における、隣接するトラック間のトラック完結部分の様子を模式的に示す図として、１セクタの長さを１０とした場合に、２セクタ内に長さが５とされた変調領域と長さが１５とされた無変調領域とを割り振った場合について示した図である。
【図８】バイフェーズ変調が施されたデータに基づくＦＭ変調信号と、そのキャリア周波数による無変調信号との位相のずれについて説明するための図である。
【図９】ダミービットが挿入された場合の変調領域と無変調領域との様子を模式的に示した図である。
【図１０】実施の形態のディスク状記録媒体についての対クロストーク特性について示す特性図である。
【図１１】実施の形態のディスク状記録媒体についての対ラジアルチルト特性について示す特性図である。
【図１２】本発明における実施の形態としてのマスタリング装置の構成例について示したブロック図である。
【図１３】実施の形態としての記録再生装置の構成例について示すブロック図である。
【図１４】ウォブリングされた記録トラックが形成される従来のディスク状記録媒体の例として、記録トラックの両側壁がウォブリングされる例と一方の側壁のみがウォブリングされる例とを示した図である。
【符号の説明】
【００９３】
１  マスタリング装置、２  アドレス情報信号源、３  付加変調回路、４  記録用レーザ、５  光偏向器、６  ミラー、７  対物レンズ、８  スピンドルサーボ回路、９  スピンドルモーター、１０  ディスク原盤、１１  補助レーザ、１２  ビーム混合用光学素子、２１  記録再生装置、２２  スピンドルモーター、２３  ピックアップ、２４  スライド駆動部、２５  スライド駆動回路、２６  フォーカス／トラッキング駆動回路、２７  スピンドルモーター駆動回路、２８  ＲＦアンプ、２９  記録／再生処理系、３０  サーボ制御部、３１  ＤＲＡＭ、３２  コントローラ、３２ａ  アドレス検出制御部、３３  ホストインタフェース（ＨＯＳＴ Ｉ／Ｆ）、３４  ＡＤＩＰデコーダ、３５  磁気ヘッドドライバ、３６  磁気ヘッド、５０  ディスク
【図１】
2005243135.tif 000003
【図２】
2005243135.tif 000004
【図３】
2005243135.tif 000005
【図４】
2005243135.tif 000006
【図５】
2005243135.tif 000007
【図６】
2005243135.tif 000008
【図７】
2005243135.tif 000009
【図８】
2005243135.tif 000010
【図９】
2005243135.tif 000011
【図１０】
2005243135.tif 000012
【図１１】
2005243135.tif 000013
【図１２】
2005243135.tif 000014
【図１３】
2005243135.tif 000015
【図１４】
2005243135.tif 000016